(57)【特許請求の範囲】
【請求項１】
被験体表面に沿って取り付けられる、光生体測定用の照射プローブと受光プローブを保持するための少なくとも２つのソケットと、該ソケットの上部及び下部をそれぞれ連結する上部連結子と下部連結子の２層の連結子を備えている光生体測定用プローブホルダーであって、
前記下部連結子は、前記ソケットのそれぞれの下部に、ソケット下部間の距離が変化しないように固定して取り付けられ、前記上部連結子は前記ソケットのそれぞれの上部に、前記ソケット上部間の距離を調節した後、一定の長さに固定し得る機構を有していることを特徴とする光生体測定用プローブホルダー。
【請求項２】
前記上部連結子と前記ソケットの上部との固定位置を調節した後、該上部連結子を前記ソケットの上部に固定することにより、前記ソケット及び前記２層の連結子で構成されるプローブホルダーの屈曲の程度を、前記被験体の表面の曲面に適合させるように変化させ保持し得ることを特徴とする請求項１記載の光生体測定用プローブホルダー。
【請求項３】
前記ソケットに保持される前記照射プローブ及び前記受光プローブのうち、当該ソケットより上部に突き出た部分に、前記上部連結子が取り付けられることを特徴とする請求項１又は２に記載の光生体測定用プローブホルダー。
【請求項４】
前記下部連結子は両端に孔を有し、前記ソケットの一部が該孔に嵌合されることにより、前記下部連結子が前記ソケットの下部に固定して取り付けられることを特徴とする請求項１〜３のいずれか１項に記載の光生体測定用プローブホルダー。
【請求項５】
前記上部連結子と前記ソケットの上部との連結位置を調節した後、両者を固定し得る機構が、前記上部連結子、前記ソケットの少なくとも一方に設けられていることを特徴とする請求項１〜４のいずれか１項に記載の光生体用プローブホルダー。
【請求項６】
前記上部連結子と前記ソケットの上部との連結位置を調節した後、固定し得る機構が、前記上部連結子の一端又は両端に開けられた、前記上部連結子の長さ方向に延びる長孔であり、前記上部連結子が前記ソケットの上部に、前記長孔を介して一端又は両端がスライド可能な状態で前記ソケットに取り付けられることを特徴とする請求項５記載の光生体測定用プローブホルダー。
【請求項７】
前記上部連結子と前記ソケットの上部との連結位置を調節した後、固定し得る機構が、長孔を有する２つの長板状部材からなり、該２つの長板状部材同士を長孔を介してスライド可能な状態で連結し、連結位置を調節した後、該２つの長板状部材の一端を前記ソケットに固定することを特徴とする請求項５記載の光生体測定用プローブホルダー。
【請求項８】
前記上部連結子及び前記下部連結子が前記ソケットを軸として回動可能に取り付けられ、各連結子間の角度を調節し得ることを特徴とする請求項１〜７のいずれか１項に記載のプローブホルダー。
【請求項９】
前記下部連結子と前記ソケットの間に布状材を有することを特徴とする請求項１〜８のいずれか１項に記載のプローブホルダー。
【請求項１０】
光生体測定が近赤外分光脳機能計測であり、前記被験体の表面が頭部表面であることを特徴とする請求項１〜９のいずれか１項に記載のプローブホルダー。
【発明の詳細な説明】
【技術分野】
【０００１】
本発明は、脳科学分野の医療検査において用いられる近赤外分光脳機能計測装置（生体酸素モニタ）に関し、該装置のプローブを固定するためのプローブホルダーに関する。
【背景技術】
【０００２】
近赤外分光測光(NIRS)を用いた脳機能計測法とは、酸素結合型及び酸素脱離型ヘモグロビンの近赤外吸収スペクトルの違いに基づき、脳組織中での各濃度を無侵襲で推定する手法である。近赤外分光測光(NIRS)を用いた脳機能計測法においては、照射プローブと受光プローブが用いられ、照射プローブにより脳組織内に光が照射され、受光プローブにより反射・散乱した光を受ける。
【０００３】
従来の近赤外分光脳機能計測用プローブホルダーは照射プローブと受光プローブを固定するためのソケット部と、ソケット部を一定間隔(通常、約30mm)で面内に配置するための樹脂等からなる基盤面で構成されている(図１A)。従来の方法においては、図１A上に示すように、ソケットの底面間のみでソケット同士が連結子により連結されていた。この場合、脳機能計測装置を頭部に装着した場合、ソケット同士を連結する連結子の屈曲を押し戻そうとする反発力（図１A下の矢印）が常に生じているので、プローブホルダーは構造的に不安定であった。いろいろな形や大きさをもつ頭部に沿わせて基盤面を屈曲させる必要上、その基盤面は1)充分に柔軟な素材の一枚又は複数の板の緩やかな連結で構成されるか、2)基盤面を各ソケット間を格子状に連結する腕に置き換えた構造を持ち、その連結角度を歪ませることにより、照射-受光位置間の距離を一定に保ちながら曲面を作るか(特許文献１〜３を参照)のいずれかの方法が採られている。
【０００４】
上記１)の方法では、本来平面である基盤を頭部の曲面に沿わせて屈曲させるため、基盤のどこかに歪みが生じる。この歪みが生じる箇所や程度は固定に用いるベルト等の締め具合の微妙な違いを反映して毎回異なるため、たとえ、頭部における位置に充分正確を期してプローブを置いた場合でも測定の再現性が充分に得られない一因となってきた。また、このような歪みによって生じる頭部とホルダーの隙間の程度は基盤素材が柔軟なほど測定時の体動等により不安定となり、測定の安定性を低下させる要因となってきた。
【０００５】
上記２)の方法では、不安定性の問題に対して一定の効果が期待されるが、格子状構造の連結部分の角度を変えて曲面を成形するため、その曲面形状に応じて照射-受光部の分布配置が歪むという欠点があった。そのため、同じ頭部に対して再設置した場合でも毎回の成形の微妙な違いが照射-受光部の分布配置の再現性に直接影響を及ぼすなどの問題が生じる。
【０００６】
【特許文献１】特開2004-313741号公報
【特許文献２】特開2006-223503号公報
【特許文献３】特開2007-111407号公報
【発明の開示】
【発明が解決しようとする課題】
【０００７】
本発明は、様々な形をもつ頭部の凸曲面に適合させてプローブを垂直に密着保持し、プローブの分布配置を一定に保てる剛性の高いプローブホルダーの提供を目的とする。
【課題を解決するための手段】
【０００８】
本発明者らは、従来用いられてきた近赤外分光脳機能計測用プローブの問題点を解消し、近赤外分光脳機能計測用プローブを生体に取り付けたときにプローブホルダーのゆがみ等によりプローブの位置が変わらないプローブホルダーについて鋭意検討を行った。
【０００９】
本発明者らは、隣り合う１対のソケット又はプローブに、上下の２層からなる適度な可撓性及び弾性を有する２つの連結子を導入した。すなわち、従来のプローブソケットに対してプローブソケットの上部に、新たに長さが可変の連結子を導入した(図１B上)。脳機能計測装置を頭部に装着した場合、上下の連結子の力が拮抗するため安定に局面を自律保持することができる（図１B下）。ソケット下部に取り付けられた下部連結子は、測定様態によって定められるソケット間の距離を一定に保つ固定長を有し、それよりも上部に置かれた上部連結子はソケット間の距離を下部連結子と同等またはそれよりも幾分長い長さに可変に調節し得る可変長を有し、その長さで固定するよう連結をロックできる構造を有している。
【００１０】
本発明のプローブホルダーにプローブを固定して、頭部に装着する場合、まず上部連結子のロックを解放した状態で、頭部と屈曲した下部連結子の曲面が一致するように密着させる。次にこの状態を保ったまま、上部連結子をロックする。これにより頭部との接面に対するプローブ軸が鉛直になり、高い剛性でその状態を保持する構造が確保される。このような２層の連結子で複数のすべてのプローブソケットを連結し、ソケットを軸とした２つの下部連結子間の連結角度を一定に保つことにより、様々な形をもつ頭部の凸曲面に適合させてプローブを垂直に密着保持し、プローブの分布配置を一定に保てる剛性の高いプローブホルダーを実現できる。
【００１１】
すなわち、本発明は以下のとおりである。
[１]  被験体表面に沿って取り付けられる、光生体測定用の照射プローブと受光プローブを保持するための少なくとも２つのソケットと、該ソケットの上部及び下部をそれぞれ連結する上部連結子と下部連結子の２層の連結子を備えている光生体測定用プローブホルダーであって、前記下部連結子は、前記ソケットのそれぞれの下部に、ソケット下部間の距離が変化しないように固定して取り付けられ、前記上部連結子は前記ソケットのそれぞれの上部に、前記ソケット上部間の距離を調節した後、一定の長さに固定し得る機構を有していることを特徴とする光生体測定用プローブホルダー。
[２]  前記上部連結子と前記ソケットの上部との固定位置を調節した後、該上部連結子を前記ソケットの上部に固定することにより、前記ソケット及び前記２層の連結子で構成されるプローブホルダーの屈曲の程度を、前記被験体の表面の曲面に適合させるように変化させ保持し得ることを特徴とする、[１]の光生体測定用プローブホルダー。
[３]  前記ソケットに保持される前記照射プローブ及び前記受光プローブのうち、当該ソケットより上部に突き出た部分に、前記上部連結子が取り付けられることを特徴とする、[１]又は[２]の光生体測定用プローブホルダー。
[４]  前記下部連結子は両端に孔を有し、前記ソケットの一部が該孔に嵌合されることにより、前記下部連結子が前記ソケットの下部に固定して取り付けられることを特徴とする、[１]〜[３]のいずれかの光生体測定用プローブホルダー。
[５]  上部連結子の、２つのソケット間を連結する上部連結子の長さを変え、かつ一定の
長さに固定し得る機構が上部連結子及び／又はソケットに設けられている[１]〜[４]のい
ずれかの光生体用プローブホルダー。
[６]  前記上部連結子と前記ソケットの上部との連結位置を調節した後、両者を固定し得る機構が、前記上部連結子、前記ソケットの少なくとも一方に設けられていることを特徴とする、[５]の光生体測定用プローブホルダー。
[７]  前記上部連結子と前記ソケットの上部との連結位置を調節した後、固定し得る機構が、長孔を有する２つの長板状部材からなり、該２つの長板状部材同士を長孔を介してスライド可能な状態で連結し、連結位置を調節した後、該２つの長板状部材の一端を前記ソケットに固定することを特徴とする、[５]の光生体測定用プローブホルダー。
[８]  前記上部連結子及び前記下部連結子が前記ソケットを軸として回動可能に取り付けられ、各連結子間の角度を調節し得ることを特徴とする、[１]〜[７]のいずれかのプローブホルダー。
[９]  前記下部連結子と前記ソケットの間に布状材を有することを特徴とする、[１]〜[８]のいずれかのプローブホルダー。
[１０]  光生体測定が近赤外分光脳機能計測であり、前記被験体の表面が頭部表面であることを特徴とする、[１]〜[９]のいずれかのプローブホルダー。
【発明の効果】
【００１２】
近赤外分光脳機能計測が成立するための重要な技術的要件の一つとして、与えられた幾何学的条件でいかにプローブを頭部に密着固定できるかが挙げられる。本発明は従来技術と比較して、様々に形の異なる頭部に一定の配置で複数のプローブを垂直に導入し、これを安定に維持するための新規かつ有効な機構を有しており、近赤外分光脳機能計測法の安定性および再現性の向上に重要な貢献をすることが期待できる。
【発明を実施するための最良の形態】
【００１３】
以下、本発明を図面を用いて詳細に説明する。
本発明の実施形態の一例を図２に示す。図２に示すように本発明のプローブホルダーは、プローブソケット１、上部連結子２及び下部連結子３の上下２層の連結子を含んで構成される。また、複数のプローブソケットを安定に保持させ、なおかつプローブソケットを生体表面にフィットするように固定し、かつ外光を遮断する布状材４を含んでいてもよい。光照射用プローブ又は受光用プローブであるプローブ５はプローブソケットに挿入した状態で保持される。プローブのプローブソケットへの挿入は、例えばプローブをソケットに螺合して装着する。
【００１４】
図３Aにプローブソケット１、図３Bに下部連結子３を例示する。また、図３C〜図３Eに上部連結子２の種々の態様を例示する。
【００１５】
図３Aに示すプローブソケット１は、プローブを挿入するための孔を有する筒状のソケット本体６と下部連結子をソケット下部に取り付けるためのナット７及び上部連結子をソケット上部に取り付けるための取り付け部８から構成される。取り付け部８は例えばナットである。ソケット本体６の底部にネジが設けられており、該ネジとナット７が螺合される。ソケットの上部及び下部とはソケット上の２点の上下関係を示すために用いられ、ソケットの上部はソケットの下部より上に位置する。また、ソケットに挿入されたプローブのソケットから上部に突き出た部分に上部連結子を取り付けてもよく、この場合はプローブのソケット上部に突き出た部分をソケットの上部という。好ましくは、ソケット下部はソケットの中央より下部又はソケット本体の底面部をいう。ソケット本体の最大径は、限定されないがおおよそ15〜25mmである。また、プローブの最大径は、限定されないがおおよそ８〜12mmである。
【００１６】
図４に本発明のプローブホルダーの一態様を示し、図５に他の一態様を示す。
上部連結子及び下部連結子は、長板状部材であり、弾力性を有し厚さ方向に可撓であるが、それ自体は伸縮性を有しない。上部連結子及び下部連結子はポリプロピレン、ポリ塩化ビニル、ポリアセタールなどの合成樹脂でできている。上部連結子及び下部連結子の長さは３〜５cm程度であり、厚さは0.05mm〜数mm、幅は広い部分で１〜２cm程度である。
【００１７】
下部連結子は、ソケット間を連結する下部連結子の長さ（連結長）を一定の長さに固定し変化しないようにソケット下部に取り付けられる。すなわち、ソケット間を連結する下部連結子はソケット間の距離を一定に保つ固定長を有する。下部連結子とソケットの取り付けは、固定機構により達成される。該固定機構は、例えばソケット本体のねじとナット及び下部連結子に設けられた孔である。この場合、下部連結子の両端に、ソケットに固定するための孔が設けられており、該孔にソケットを嵌合させ、下部連結子を挟んでナットで締め付けることにより下部連結子がソケットに固定される。この際、下部連結子の孔の
径をソケットの下部連結子の孔に挿入される部分の径と同じかわずかに遊びを設けて大きくすることによりソケットに下部連結子を固定したときにソケット間を連結する下部連結子の長さが変わらず固定されたままとなる。また、下部連結子は、ソケットに締め付けて固定されていない状態では、ソケットを中心に回動可能であり、一方ソケットに締め付けて固定された状態では、回動不能である。複数のソケット及び連結子を組合せて用いる場合に、回動可能な状態のときに、ソケットを軸とした下部連結子間の連結角度を任意の角度に調節し保持することができる。下部連結子の両端の孔の中心間の距離がソケットとソケットの間の距離であり、約３cmである。
【００１８】
本発明のプローブホルダーは、２つのソケット間を連結する上部連結子の長さを変え、かつ一定の長さに固定し得る機構を有している。該機構はプローブホルダーを構成するソケット及び／又は上部連結子に設けられる。該機構は２つのソケット間の上部連結子の長さを一定の状態に保つようにロックすることができ、ロックしていない開放状態のときに２つのソケット間の上部連結子の長さを変えることができる。
【００１９】
上部連結子に、２つのソケット間を連結する上部連結子の長さを変え、かつ一定の長さに固定し得る機構が設けられている場合、上部連結子は、ソケットの上部にソケット間を連結する上部連結子の長さ（連結長）が変化し得るように、かつソケット間を連結する上部連結子の長さを一定の長さに固定し得るように取り付けられる。すなわち、ソケット間を連結する上部連結子はソケット間の距離が変化し得るように可変長を有する。
【００２０】
例えば、２つのソケット間を連結する上部連結子の長さを変え、かつ一定の長さに固定し得る機構を有していればよい。例えば、図３Aにおいて、ソケット１の上部の取り付け部８がナットであり、該ナットはソケット１の上部に設けられたネジに螺合し取り付けられる。この場合、２つのソケット間を連結する上部連結子２の長さを変え、かつ一定の長さに固定し得る機構は、図３C〜図３Eに示すような上部連結子２の両端に設けられた孔であり、該孔にソケットを取り付け、上部連結子２を挟むことにより上部連結子をソケットに取り付けることができる。この際、図３Cに示すように、上部連結子２の孔の径をソケットの取り付け部の上部連結子の孔に挿入される部分の径より大きくすることにより、上部連結子２をソケット１に取り付けた状態で、スライドさせ、ソケット間の上部連結子の長さを変えることができる。
【００２１】
また、２つのソケット間を連結する上部連結子の長さを変え、かつ一定の長さに固定し得る機構は、図３D及びEに示すように、上部連結子２の両端又は一端に設けられた形状が長円形又は長方形（例えば、角丸長方形）である上部連結子の長さ方向に延びる長孔であってもよい。この場合、該長孔にソケット１を取り付けた場合に、上部連結子２が長孔の長さ方向にスライドすることにより、ソケット間の上部連結子の長さを変えることができる。図３Dは上部連結子の両端に長孔が設けられている態様を示し、図３Eは上部連結子の一端のみに長孔が設けられている態様を示す。さらに、図４に両端に長孔を有する上部連結子を含む本発明のプローブホルダーの分解斜視図を示す。図４において、２つのソケットにソケット本体６とナット７により下部連結子３が取り付けられ、ソケット本体６とナットである取り付け部８により両端に長孔を有する上部連結子２が取り付けられる。
【００２２】
上部連結子２をソケットに取り付けた状態でスライドすることにより、ソケット間を連結する上部連結子２の長さ（連結長）が変化し得る。さらに、ソケットの上部のナットを締め付けることにより、上部連結子２がソケットにロックした状態で固定されるので、ソケット間を連結する上部連結子２の長さを一定の長さに固定することができる。すなわち、上部連結子とソケットの取り付けのロックを開放するか、ロックするかにより、ソケット間の上部連結子の長さを変えたり固定したりすることができる。
【００２３】
上部連結子は、ソケットに締め付けてロックされていない状態では、ソケットを中心に回動可能であり、一方ソケットに締め付けてロックされた状態では、回動不能である。複数のソケット及び連結子を組合せて用いる場合に、回動可能な状態で、ソケットを軸とした上部連結子間の連結角度を任意の角度であって下部連結子間の連結角度と同じ角度に調節し保持することができる。
【００２４】
また、上部連結子が複数の長板状部材から構成され、該複数の長板状部材同士を連結するときに、上部連結子全体の長さが変わるようにしてもよい。例えば、複数の長板状部材の長板状部材同士を結合させる部分に長孔を設けてもよい。図３F及び図３Gに上部連結子を構成する２つの長板状部材９を示す。図３Fは長板状部材９を上から見た図であり、図３Gは長板状部材９を横から見た図である。図３F及び図３Gに示すように、長板状部材は、一端にソケットの上部の取り付け部に嵌合する孔、もう一端に凸部を有する。さらに、中央付近には長孔を有する。図５に示すように、該長板状部材９を２つ組合せて上部連結子として用いることができる。図５において、２つのソケットにソケット本体６とナット７により下部連結子３が取り付けられ、ソケット本体６とナットである取り付け部８により長板状部材９の一端の孔を介して２つの長板状部材９がそれぞれ２つのソケットに取り付けられる。２つの長板状部材９の中央付近の長孔は部分的に重ね合わせることができ、また、一方の長板状部材９の凸部が他方の長板状部材９の長孔に嵌る。２つの長板状部材９を長板が重なるように連結し、長板状部材同士を直線状にスライドさせることにより、上部連結子のソケット間の長さを調節することが可能である。この際、２つの長板状部材の連結は、長孔を介してネジ留めすることにより行うことができる。すなわち、２つの長板状部材９を重ね合う長孔に挿入したネジ１０を締め付けることにより、上部連結子を任意の連結長で固定しロックすることができる。
【００２５】
さらに、２つのソケット間を連結する上部連結子の長さを変え、かつ一定の長さに固定し得る機構をソケットに設けてもよい。
【００２６】
２つのソケット間を連結する上部連結子の長さを変え、かつ一定の長さに固定し得る機構は限定されず、いかなる方式による機構も含まれる。
【００２７】
上部連結子は、プローブソケットではなくプローブに直接取り付けてもよい。この際、プローブに上部連結子を取り付けるための取り付け部を設けておけばよい。
【００２８】
ソケット間を連結する上部連結子の長さを下部連結子の長さより大きくすることにより、ソケット、上部連結子及び下部連結子から構成されるホルダーが屈曲する。屈曲することにより、ホルダーを被験体の曲面状の生体表面、例えば頭部に取り付けたときに、生体表面にプローブを生体表面に対して垂直に保持した状態で密着して取り付けることができ、正確な光生体測定が可能になる。この際、ソケット間を連結する上部連結子の長さを変えることにより、プローブホルダーの屈曲の程度を調節することができ、生体表面の屈曲した部分に適合させることができる。また、ソケット間を連結する上部連結子の長さを一定の長さで固定保持することにより、プローブホルダーの屈曲の程度を固定保持することができ、生体表面の屈曲面にずれることなく密着して装着することができる。
【００２９】
図２Aは、上部連結子をロックしておらず、ソケット間の上部連結子の長さと下部連結子の長さが等しい状態を示し、図２Bは、ソケット間の上部連結子の長さをソケット間の下部連結子の長さより長い状態でロックし、ホルダーが屈曲した状態を示す。
【００３０】
本発明のホルダーは多数のソケット及び多数の上部及び下部連結子を組み合わせることができ、網状に組み合わせることにより、広い範囲の生体表面に密着させることができる。多数のソケット及び多数の上部及び下部連結子を組み合わせる場合、１個のソケットに２つ又はそれ以上の上部連結子及び下部連結子を重ねて取り付ければよい。
【００３１】
この際、１つのソケットに取り付ける連結子間のソケットを軸とした角度を調節することにより、プローブの位置を調節することができる。
【００３２】
本発明のプローブホルダーは、近赤外分光測光(NIRS)を用いた脳機能計測法等の光生体測定法の測定装置のプローブホルダーとして用いることができる。
【実施例】
【００３３】
本発明を以下の実施例によって具体的に説明するが、本発明はこれらの実施例によって限定されるものではない。
【００３４】
図６に複数のソケット、上部連結子及び下部連結子を組合わせた状態のプローブホルダーの実施例を示す。図６Aは上部連結子をロックした状態を示し、図６Bは上部連結子をロックしていない状態を示す。さらに、図６Cはソケットの下方向から見たプローブホルダーを示す。図６Cのプローブホルダーにおいては、下部連結子に黒色の布状材が重ねて取り付けられている。上部連結子をロックした状態では図６Aのように屈曲し、その形は自立保持され、充分な剛性が得られている。これに対して、ロックを解放した状態では、図６Bのように充分にしなやかな状態となり、任意の形状に沿わせることができる。図６Cに示すように下部連結子で連結されたソケットどうしの連結角は固定されているため、照射-受光部の分布の位置関係を不変に保つことができる。図６Dに実際に頭部に取り付けた状態を示す。上部連結子をロックしない状態で頭部に密着させ、その後上部連結子をロックした。図６Dに示すように、ホルダー底面が頭部と充分に密着保持され、プローブが頭部曲面に対して垂直に導入されている。
【産業上の利用可能性】
【００３５】
本発明のプローブホルダーは、近赤外分光測光(NIRS)を用いた脳機能計測法等の光生体測定法の測定装置のプローブホルダーとして利用可能である。
【図面の簡単な説明】
【００３６】
【図１】従来のプローブホルダーの構造及び作動（図１A）並びに本発明のプローブホルダーの構造及び作動（図１B）を示す図である。
【図２】本発明のプローブホルダーにおいて、上部連結子の連結をロックしない状態（図２A）及び上部連結子の連結をロックした状態（図２B）を示す図である。
【図３】本発明のプローブホルダーのプローブソケット（図３A）、下部連結子（図３B）、上部連結子（図３C〜E）及び上部連結子を構成する長板状部材（図３F及びG）を示す図である。
【図４】本発明のプローブホルダーの一態様を示す分解斜視図である。
【図５】本発明のプローブホルダーの一態様を示す分解斜視図である。
【図６Ａ】複数のプローブソケット、上下連結子の組み合わせからなる本発明のプローブホルダーの実施例を示す図であり、上部連結子をロックした状態を示す図である。
【図６Ｂ】複数のプローブソケット、上下連結子の組み合わせからなる本発明のプローブホルダーの実施例を示す図であり、上部連結子をロックしていない状態を示す図である。
【図６Ｃ】複数のプローブソケット、上下連結子の組み合わせからなる本発明のプローブホルダーの実施例を示す図であり、プローブホルダーを下部方向から見た図である。
【図６Ｄ】複数のプローブソケット、上下連結子の組み合わせからなる本発明のプローブホルダーの実施例を示す図であり、プローブホルダーを頭部に装着した状態を示す図である。
【符号の説明】
【００３７】
１  プローブソケット
２  上部連結子
３  下部連結子
４  布状材
５  プローブ
６  ソケット本体
７  ナット
８  取り付け部
９  長板状部材
１０  ネジ
【図１】
0005158782.tif 000002
【図２】
0005158782.tif 000003
【図３】
0005158782.tif 000004
【図４】
0005158782.tif 000005
【図５】
0005158782.tif 000006
【図６Ａ】
0005158782.tif 000007
【図６Ｂ】
0005158782.tif 000008
【図６Ｃ】
0005158782.tif 000009
【図６Ｄ】
0005158782.tif 000010